(57)【特許請求の範囲】
【請求項１】
通信による鍵としての機能を有する非接触式データキャリアを用いてゲートを開閉するゲートシステムにおいて、
データキャリアの固有情報を記憶した記憶部を有しているとともに、通信による鍵としての機能の停止状態及び動作状態を選択可能な非接触式データキャリアと、
前記非接触式データキャリアとの通信により、前記非接触式データキャリアの記憶部に鍵機能停止状態を示す状態フラグ情報、および鍵機能動作状態を示す状態フラグ情報を選択的に書き込む外部のデータキャリア情報書き換え装置と、
前記非接触式データキャリアとの通信により、当該非接触式データキャリアの記憶部に鍵機能停止状態を示す状態フラグ情報が書き込まれている際、前記ゲートの開閉を禁止し、当該非接触式データキャリアの記憶部に鍵機能動作状態を示す状態フラグ情報が書き込まれている際、前記データキャリアの固有情報と照合した後、固有情報が登録情報と一致した場合は前記ゲートを開放するとともに、前記データキャリアの固有情報、ゲートの入室日時を含む動作履歴を記録するゲート装置と、
を具備したことを特徴とする非接触式データキャリアを用いるゲートシステム。
【請求項２】
通信による鍵としての機能を有する非接触式データキャリアを用いてゲートを開閉するゲートシステムの制御方法において、
前記非接触式データキャリアと外部のデータキャリア情報書き換え装置との通信により、前記非接触式データキャリアの記憶部に鍵機能停止状態を示す状態フラグ情報、および鍵機能動作状態を示す状態フラグ情報を選択的に書き込むステップと、
前記非接触式データキャリアとゲート装置との通信により、当該非接触式データキャリアの記憶部に鍵機能停止状態を示す状態フラグ情報が書き込まれている際、前記ゲート装置にいより前記ゲートの開閉を禁止し、当該非接触式データキャリアの記憶部に鍵機能動作状態を示す状態フラグ情報が書き込まれている際、前記ゲート装置により前記データキャリアの固有情報と照合した後、固有情報が登録情報と一致した場合は前記ゲートを開放するとともに、前記データキャリアの固有情報、ゲートの入室日時を含む動作履歴を記録するステップと、
を具備したことを特徴とする非接触式データキャリアを用いるゲートシステムの制御方法。
【発明の詳細な説明】
【０００１】
【発明の属する技術分野】
本発明は、非接触式ＩＣカード等の非接触式データキャリアを用いたゲートシステムおよびその製造方法に関する。
【０００２】
【従来の技術】
従来より実現されている非接触式データキャリアとしての非接触ＩＣカード  （以下、単に、カードと記す）を鍵とするゲートシステムとして、図１に示すように構成されたゲートシステムが知られている。
【０００３】
すなわち、この種のゲートシステムは、多くの場合、入室する際に許可を必要とするドアの近傍に、入室対象者が携帯するカード１１とのインターフェース  （以下、単に、Ｉ／Ｆと記す）であるアンテナ１２１及び電気錠を備えた個々のゲート１２３を制御するリーダライタ（以下、単に、Ｒ／Ｗと記す）１２２とを有するゲート装置１２が設置されている。
【０００４】
この場合、Ｒ／Ｗ１２２は、ゲートシステム全体を管理する上位装置１３に接続されている。
また、このゲートシステム内の各ゲート装置１２は、例えば、Ｒ／Ｗ１２２内に入室（通過）許可カード情報が登録されている許可カードテーブルを有している。
【０００５】
そして、このゲートシステム内の各ゲート装置１２において、アンテナ１２１を介してカード１１との通信により、そのカードを特定することができるカードに固有の情報（以下固有カード情報）を受け取ったＲ／Ｗ１２２は、前記許可カードテーブルの内容と固有カード情報とを照合し、その結果「入室許可」と判定された場合にのみ入室許可信号を出力する。
【０００６】
例えば、Ｒ／Ｗ１２２は、入室許可信号を電気錠又は電気錠制御装置を備えた個々のゲート１２３の「解錠信号入力端子」に供給することにより、電気錠を備えた個々のゲート１２３の開閉制御を行う。
【０００７】
また、ゲート装置１２及びゲートシステム全体を管理する上位装置１３は、Ｒ／Ｗ１２２からの「入室許可信号」出力のタイミングで入室を許可したカード１１の情報や入室日時情報の履歴を残すために、それらの情報を保存するようにしている。
【０００８】
図２は、従来のゲートシステムにおける通信手段のシーケンスを説明するために、カードとゲート装置との通信手順及びゲート装置の処理手順を示すフローチャートである。
【０００９】
すなわち、図２において、ステップＳ１は、非接触ＩＣカードの保持者がゲート装置との通信可能な範囲に入り且つゲート装置１２がカード１１からの初期応答の受信を待っている状態である。
【００１０】
ステップＳ２では、非接触ＩＣカード１１からゲート装置１２に対して初期応答を送信する。
ステップＳ３では、ゲート装置１２はカード１１からの初期応答を受けると、カード１１内の固有カード情報読み出して、要求コマンドを送信する。
【００１１】
ステップＳ４では、カード１１は固有カード情報を含む応答ゲート装置１２に対して返信する。
ステップＳ５では、ゲート装置１２は、当該ゲート装置１２内の許可カードテーブルに登録されているカード情報と、カード１１から受信した固有カ−ド情報を照合する。
【００１２】
そして、この照合により、ゲート装置１２は、カード１１が登録されたカードであることが解れば、Ｒ／Ｗ１２２から入室許可信号を電気錠を備えたゲート１２３に対して出力することにより、ゲートが解錠される。
【００１３】
ステップＳ６では、ゲート装置１２は固有カード情報や入室日時などの動作履歴を記録し保持する。
ステップＳ７では、一定時間超過やカード１１のゲート通過で、Ｒ／Ｗ１２２から入室許可信号を電気錠ゲート１２３に対して出力するのを止め、ゲートは再び施錠される。
【００１４】
【発明が解決しようとする課題】
しかるに、上述したような従来のゲートシステムでは、以下のような問題点があった。
１．非接触式データキャリアの保持者がゲート近傍に立ち入るだけで、実際に入室しなくても入室の履歴が残ってしまうことにより、実際の入室動作と履歴上の入室記録とに違いが生じていた。
【００１５】
２．非接触式データキャリアの保持者がゲート近傍に立ち入るだけで、ゲート解錠の意思が無くてもゲートが解錠されるという不要な動作があるとともに、第三者に不当な入室の機会を与えてしまうので、セキュリティー上の点でも問題があった。
【００１６】
そこで、本発明は、以上のような点に鑑みてなされたもので、例えば、非接触式データキャリアを用いるゲートシステムにおいて、非接触式データキャリアの保持者がゲート近傍に立ち入るだけで、実際に入室しなくても入室の履歴が残ってしまうことによる実際の入室動作と履歴上の入室記録とに違いが生じることがないようにし、且つ、非接触式データキャリアの保持者がゲート近傍に立ち入るだけで、ゲート解錠の意思がなくてもゲートが解錠されるという不要な動作をなくすとともに、第三者に不当な入室の機会を与えてしまうことがないようにしてセキュリティー上の点でも問題が生じることがないようにした非接触式データキャリア及びそれを用いるゲートシステムとその制御方法を提供することを目的としている。
【００１７】
【課題を解決するための手段】
この発明の態様に係る通信による鍵としての機能を有する非接触式データキャリアを用いてゲートを開閉するゲートシステムは、データキャリアの固有情報を記憶した記憶部を有しているとともに、通信による鍵としての機能の停止状態及び動作状態を選択可能な非接触式データキャリアと、前記非接触式データキャリアとの通信により、前記非接触式データキャリアの記憶部に鍵機能停止状態を示す状態フラグ情報、および鍵機能動作状態を示す状態フラグ情報を選択的に書き込む外部のデータキャリア情報書き換え装置と、前記非接触式データキャリアとの通信により、当該非接触式データキャリアの記憶部に鍵機能停止状態を示す状態フラグ情報が書き込まれている際、前記ゲートの開閉を禁止し、当該非接触式データキャリアの記憶部に鍵機能動作状態を示す状態フラグ情報が書き込まれている際、前記データキャリアの固有情報と照合した後、固有情報が登録情報と一致した場合は前記ゲートを開放するとともに、前記データキャリアの固有情報、ゲートの入室日時を含む動作履歴を記録するゲート装置と、を具備したことを特徴としている。
【００１８】
この発明の他の態様に係る通信による鍵としての機能を有する非接触式データキャリアを用いてゲートを開閉するゲートシステムの制御方法は、前記非接触式データキャリアと外部のデータキャリア情報書き換え装置との通信により、前記非接触式データキャリアの記憶部に鍵機能停止状態を示す状態フラグ情報、および鍵機能動作状態を示す状態フラグ情報を選択的に書き込むステップと、前記非接触式データキャリアとゲート装置との通信により、当該非接触式データキャリアの記憶部に鍵機能停止状態を示す状態フラグ情報が書き込まれている際、前記ゲート装置にいより前記ゲートの開閉を禁止し、当該非接触式データキャリアの記憶部に鍵機能動作状態を示す状態フラグ情報が書き込まれている際、前記ゲート装置により前記データキャリアの固有情報と照合した後、固有情報が登録情報と一致した場合は前記ゲートを開放するとともに、前記データキャリアの固有情報、ゲートの入室日時を含む動作履歴を記録するステップと、を具備したことを特徴としている。
【００３２】
【発明の実施の形態】
以下、本発明の実施の形態について図面を参照して説明する。
図３は、本発明による第１の実施の形態として、ゲート装置２１，２２、非接触ＩＣカード（以下、単に、カードとも記す）２０ａ，２０ｂ，２０ｃ，２０ｄ、カード情報書き換え装置２３とで構成されるゲートシステムの一例である。
【００３３】
図４は、前記ゲート装置２１，２２の鍵となる非接触ＩＣカード２０ａ，２０ｂ，２０ｃ，２０ｄの構成を示すブロック図である。
すなわち、非接触ＩＣカード２０ａ，２０ｂ，２０ｃ，２０ｄは、図４に示すように、それぞれその内部に、ゲート装置２１，２２とのインターフェース（以下、単に、Ｉ／Ｆと記す）であるアンテナ２０１と、ＣＰＵからなる制御処理部２０２と、不揮発性メモリからなる記憶部２０３とを備えている。
【００３４】
ここで、記憶部２０３には、そのカードを特定することができる固有カード情報が格納されている。
また、当該記憶部２０３には、ゲート装置２１，２２からの入室許可判定を行なうための固有カード情報の読み出し要求に対して「入室許可」となる応答をするか否かを判定するための情報（以下、単に、鍵機能の状態情報と記す）が格納される。
【００３５】
この鍵機能の状態情報の初期値は、“鍵機能動作状態”を示すものとして、例えば、“００“なる状態フラグ情報が格納されている。
この状態フラグ情報は、後述するように、カード情報書き換え装置２３によって、“鍵機能停止状態”を示すものとして、例えば、“０１“なる状態フラグ情報に書き換えることが可能である。
【００３６】
なお、この種の非接触ＩＣカード２０ａ，２０ｂ，２０ｃ，２０ｄは、通常、アンテナ２０１を介してゲート装置２１，２２との通信時にゲート装置２１，２２からの受信信号を整流して後段の制御処理部２０２、記憶部２０３の駆動電源電圧を得るようにしている。
【００３７】
そして、ゲート装置２１，２２は、図３に示すように、それぞれ入室対象者が携帯するカード２０ａ，２０ｂ，２０ｃ，２０ｄとのインターフェース（以下、単に、Ｉ／Ｆと記す）であるアンテナ２１１，２２１及び電気錠を備えた個々のゲート２１３，２２３を制御するリーダライタ（以下、単に、Ｒ／Ｗと記す）２１２，２２２とを有している。
【００３８】
この場合、Ｒ／Ｗ２１２，２２２は、ゲートシステム全体を管理する上位装置２４に接続されている。
また、このゲートシステム内の各ゲート装置２１，２２は、例えば、Ｒ／Ｗ２１２，２２２内に入室（通過）許可カード情報が登録されている許可カードテーブルを有している。
【００３９】
そして、このゲートシステム内の各ゲート装置２１，２２において、アンテナ２１１，２２１を介してカード２０ａ，２０ｂ，２０ｃ，２０ｄとの通信により、そのカードを特定することができるカードに固有の情報（以下固有カード情報）を受け取ったＲ／Ｗ２１２，２２２は、前記許可カードテーブルの内容と固有カード情報とを照合し、その結果「入室許可」と判定された場合にのみ入室許可信号を出力する。
【００４０】
例えば、Ｒ／Ｗ２１２，２２２は、入室許可信号を電気錠又は電気錠制御装置を備えた個々のゲート２１３，２２３の「解錠信号入力端子」に供給することにより、電気錠を備えた個々のゲート２１３，２２３の開閉制御を行う。
【００４１】
また、ゲート装置２１，２２及びゲートシステム全体を管理する上位装置２４は、Ｒ／Ｗ２１２，２２２からの「入室許可信号」出力のタイミングで入室を許可したカード１１の情報や入室日時情報の履歴を残すために、それらの情報を保存するようにしている。
【００４２】
また、カード情報書き換え装置２３は、図３に示すように、それぞれ入室対象者が携帯するカード２０ａ，２０ｂ，２０ｃ，２０ｄとのインターフェース（以下、単に、Ｉ／Ｆと記す）であるアンテナ２３０と、カード情報書き換え装置２３全体を制御する制御処理部としてのリーダライタ（以下、単に、Ｒ／Ｗと記す）２３１と、表示部２３２と、操作部２３３を有している。
【００４３】
そして、後述するように、カード２０ａ，２０ｂ，２０ｃ，２０ｄの保持者Ａ，Ｂ，Ｃ，Ｄに通過の意思がない場合には、カード２０ａ，２０ｂ，２０ｃ，２０ｄの保持者Ａ，Ｂ，Ｃ，Ｄがカード情報書き換え装置２３を用いてカード２０ａの鍵機能の状態情報を前述したような“鍵機能停止状態”を示すものとして、例えば、“０１“なる状態フラグ情報となっている鍵機能の停止状態に書き換えることができるようにしている。
【００４４】
これにより、カード２０ａ，２０ｂ，２０ｃ，２０ｄの保持者Ａ，Ｂ，Ｃ，Ｄに通過の意思がない場合には、ゲート装置２１，２２に近づいて、カード２０ａと、ゲート装置２１，２２内のアンテナ２１１，２２１を介してＲ／Ｗ２１２，２２２との通信が行われたとしても、ゲート装置２１，２２が解錠動作を行ってしまうことがないようにすることができる。
【００４５】
なお、その後で、カード２０ａ，２０ｂ，２０ｃ，２０ｄの保持者Ａ，Ｂ，Ｃ，Ｄに通過の意思がある場合には、カード２０ａ，２０ｂ，２０ｃ，２０ｄの保持者Ａ，Ｂ，Ｃ，Ｄがカード情報書き換え装置２３を用いてカード２０ａ，２０ｂ，２０ｃ，２０ｄの鍵機能の状態情報が初期状態である前述したような“鍵機能動作状態”を示すものとして、例えば、“００“なる状態フラグ情報となっている鍵機能の動作状態に書き換えることができるようにしている。
【００４６】
ここで、状態フラグ情報としての鍵機能の動作状態の書き換えは、カード情報書き換え装置２３のアンテナ２３０と、カード２０ａ，２０ｂ，２０ｃ，２０ｄのアンテナ２０１との通信により以下のようにして行われる。
【００４７】
まず、カード２０ａ，２０ｂ，２０ｃ，２０ｄの保持者Ａ，Ｂ，Ｃ，Ｄに通過の意思がない場合には、カード情報書き換え装置２３のアンテナ２３０と、カード２０ａ，２０ｂ，２０ｃ，２０ｄのアンテナ２０１との通信により、表示部２３２に、カード情報書き換えの操作を促す表示がなされるので、当該保持者が操作部２３３により、“鍵機能停止状態”への書き換えを入力する。
【００４８】
これを受けたカード情報書き換え装置２３のＲ／Ｗ２３１から当該カードの鍵機能の状態情報を前述したような“鍵機能停止状態”を示すものとして、例えば、“０１“なる状態フラグ情報として鍵機能の停止状態に書き換える。
【００４９】
なお、その後で、当該カードの保持者に通過の意思がある場合には、当該カード保持者がカード情報書き換え装置２３を用いて、上述と同様にして当該カードの鍵機能の状態情報が初期状態である前述したような“鍵機能動作状態”を示すものとして、例えば、“００“なる状態フラグ情報として鍵機能の動作状態に書き換えることができる。
【００５０】
また、状態フラグ情報としての鍵機能の動作状態の書き換えは、上述した表示部２３２によるカード情報書き換えの操作を促す表示と、当該保持者による操作部２３３からの“鍵機能停止状態”への書き換え入力とを省略して、単に、カード情報書き換え装置２３のアンテナ２３０と、カード２０ａ，２０ｂ，２０ｃ，２０ｄのアンテナ２０１との通信により“鍵機能動作状態”と“鍵機能停止状態”との相互間での切り換えが行われるようにしてもよい。
【００５１】
図５は、本発明のゲートシステムにおける通信手段のシーケンスを説明するために、カード２０ａ，２０ｂ，２０ｃ，２０ｄとゲート装置２１，２２との通信手順及びゲート装置２１，２２の処理手順を示すフローチャートである。
【００５２】
すなわち、図５において、ステップＳ１１は、非接触ＩＣカード２０ａ，２０ｂ，２０ｃ，２０ｄの保持者Ａ，Ｂ，Ｃ，Ｄのいずれかがゲート装置２１，２２のいずれかとの通信可能な範囲に入り、且つ、ゲート装置２１，２２がカード２０ａ，２０ｂ，２０ｃ，２０ｄから送信される初期応答の受信を待っている状態である。
【００５３】
ステップＳ１２では、非接触ＩＣカード２０ａ，２０ｂ，２０ｃ，２０ｄからゲート装置２１，２２に対して初期応答を送信する。
ステップＳ１３では、ゲート装置２１，２２はカード２０ａ，２０ｂ，２０ｃ，２０ｄからの初期応答を受けると、カード２０ａ，２０ｂ，２０ｃ，２０ｄ内の固有カード情報を読み出して、要求コマンドを送信する。
【００５４】
ステップＳ１４では、カード２０ａ，２０ｂ，２０ｃ，２０ｄは、制御処理部２０２によって記憶部２０３に格納されている鍵機能の状態情報をみて、それが前述したような“鍵機能動作状態”を示すものとして、例えば、“００“なる状態フラグ情報となっている鍵機能の動作状態ならば、固有カード情報を含む応答をゲート装置２１，２２に対して返信する。
【００５５】
しかるに、カード２０ａ，２０ｂ，２０ｃ，２０ｄは、制御処理部２０２によって記憶部２０３に格納されている鍵機能の状態情報をみて、それが前述したような“鍵機能停止状態”を示すものとして、例えば、“０１“なる状態フラグ情報となっている鍵機能の停止状態ならば、固有カード情報を含む応答をゲート装置２１，２２に対して返信しない。
【００５６】
ステップＳ１５では、ゲート装置２１，２２は、当該ゲート装置２１，２２内の許可カードテーブルに登録されているカード情報と、カード２０ａ，２０ｂ，２０ｃ，２０ｄから受信した固有カ−ド情報を照合する。
【００５７】
そして、この照合により、ゲート装置２１，２２は、カード２０ａ，２０ｂ，２０ｃ，２０ｄが登録されたカードであることが解れば、Ｒ／Ｗ２１２，２２２から入室許可信号を電気錠を備えたゲート２１３，２２３に対して出力することにより、電気錠を備えたゲート２１３，２２３が解錠される。
【００５８】
ステップＳ１６では、ゲート装置２１，２２は固有カード情報や入室日時などの動作履歴を記録し保持する。
ステップＳ１７では、一定時間超過やカード１１のゲート通過で、Ｒ／Ｗ２１２，２２２から入室許可信号を電気錠を備えたゲート２１３，２２３に対して出力するのを止め、電気錠を備えたゲート２１３，２２３は再び施錠される。
【００５９】
次に、具体例について説明する。
まず、以上において、ゲート装置２１の許可カードテーブルにはカード２０ａとカード２０ｂとのカード情報が書込まれているものとする。
【００６０】
また、ゲート装置２２の許可カードテーブルにはカード２０ａとカード２０ｃのカード情報が書込まれているものとする。
したがって、この場合、カード２０ａの保持者Ａは、ゲート装置２１，２２の許可カードテーブルに登録されているので、ゲート装置２１，２２を通過し、入室することができる。
【００６１】
しかし、この場合、カード２０ａの鍵機能の状態情報が初期状態のままでは、“鍵機能動作状態”を示すものとして、例えば、“００“なる状態フラグ情報となっている鍵機能の動作状態であるので、カード２０ａの保持者Ａに通過の意思がなくても、ゲート装置２１，２２に近づくと、カード２０ａと、ゲート装置２１，２２内のアンテナ２１１，２２１を介してＲ／Ｗ２１２，２２２との通信が行われることにより、ゲート装置２１，２２が解錠動作を行ってしまうことになる。
【００６２】
そこで、本発明では、カード２０ａの保持者Ａに通過の意思がない場合には、カード２０ａの保持者Ａがカード情報書き換え装置２３を用いてカード２０ａの鍵機能の状態情報を前述したような“鍵機能停止状態”を示すものとして、例えば、“０１“なる状態フラグ情報となっている鍵機能の停止状態に書き換えることができるようにしている。
【００６３】
これにより、カード２０ａの保持者Ａに通過の意思がない場合には、ゲート装置２１，２２に近づいて、カード２０ａと、ゲート装置２１，２２内のアンテナ２１１，２２１を介してＲ／Ｗ２１２，２２２との通信が行われたとしても、ゲート装置２１，２２が解錠動作を行ってしまうことがないようにすることができる。
【００６４】
なお、その後で、カード２０ａの保持者Ａに通過の意思がある場合には、カード２０ａの保持者Ａがカード情報書き換え装置２３を用いてカード２０ａの鍵機能の状態情報が初期状態である前述したような“鍵機能動作状態”を示すものとして、例えば、“００“なる状態フラグ情報となっている鍵機能の動作状態に書き換えることができるようにしている。
【００６５】
このように、本発明では、カードの固有カード情報をゲート装置２１，２２内のＲ／Ｗ２１２，２２２からの要求に対して応答するか否かのカードの動作状態を切り換えることができるようにしている。
【００６６】
すなわち、カード２０ａの保持者Ａは、カード２０ａが固有カード情報を応答しない状態にしておけば、カード２０ａの鍵としての機能を停止させることができる。
【００６７】
それにより、カード２０ａの保持者Ａがゲート装置２１，２２に近づいて、当該カード２０ａとゲート装置２１，２２内のＲ／Ｗ２１２，２２２との通信が行われたとしてもても、ゲート装置２１，２２が解錠動作を行ってしてしまうことことはない。
【００６８】
また、カード情報書き換え装置２３を用いてカード２０ａの鍵機能の状態情報を再び書き換えることにより、固有カード情報を応答する状態にしておけば、カード２０ａの鍵としての機能を再び動作させることができる。
【００６９】
また、カード２０ｂの保持者Ｂも、カード情報書き換え装置２３を用いてカード２０ｂの鍵としての機能の停止／動作を切り換えることができる。
しかるに、この場合、切り換えることができるのは、カード２０ｂの固有カード情報を許可カードテーブルに登録しているゲート装置２１の鍵としての機能のみとし、ゲート装置２２に関してはこの限りではなく鍵としての機能を持たすことはできない。
【００７０】
また、カード２０ｃの保持者Ｃも、カード情報書き換え装置２３を用いてカード２０ｃの鍵としての機能の停止／動作を切り換えることができる。
しかるに、この場合、切り換えることができるのは、カード２０ｃの固有カード情報を許可カードテーブルに登録しているゲート装置２２の鍵としての機能のみとし、ゲート装置２１に関してはこの限りではなく鍵としての機能を持たすことはできない。
【００７１】
なお、この場合、カード２０ｄの保持者Ｄは、カード２０ｄの固有カード情報を許可カードテーブルに登録しているゲート装置はないので、鍵としての機能を持たすことはできないとともに、カード情報書き換え装置２３を用いてカード２０ｄの鍵としての機能の停止／動作を切り換えることができない。
【００７２】
本実施の形態のように、ゲートシステムがカードに対し許可した範囲内であれば、カードの保持者はカード情報書き換え装置２３を用いて自由にカードの鍵としての機能の停止／動作を切り換えることができる。
【００７３】
図６は、本発明による第２の実施の形態として、非接触ＩＣカード３０の外表面部に設けたメカニカルスイッチ３１により、当該カード３０への電源供給ラインのＯＮ／ＯＦＦを切り換えることにより、カード３０の鍵としての機能の停止／動作を切り換えることができるようにした例である。
【００７４】
すなわち、この種の非接触ＩＣカード３０は、通常、図７に示すように、アンテナ３０１を介して図示しないゲート装置との通信時にゲート装置からの受信信号を整流して後段の制御処理部３０２、記憶部３０３の駆動電源電圧を得るようにしている。
【００７５】
そこで、この非接触ＩＣカード３０のアンテナ３０１と制御処理部３０２との間にメカニカルスイッチ３１を接続し、このメカニカルスイッチ３１をＯＦＦにしておけば、実質的に、カード３０への電源供給が断たれ、カード３０が活性化しない状態、つまり、カード３０の鍵としての機能の停止になる。
【００７６】
反対に、アンテナ３０１と制御処理部３０２との間に接続されるメカニカルスイッチ３１をＯＮにしておけば、実質的に、カード３０への電源が供給され、カード３０が活性化された状態、つまり、カード３０の鍵としての機能する動作状態となる。
【００７７】
本発明により、次のメリットが得られる。
１．非接触式データキャリアの鍵としての機能をＯＦＦにしておけば、データキャリア保持者がゲート近傍に立ち入ってもゲート装置の解錠はされないため、実際に入室しなくても入室の履歴が残ってしまうなどの実際の入室動作と履歴上の入室記録との違いがなくなる。
【００７８】
２．非接触式データキャリアの鍵としての機能をＯＦＦにすることにより、ゲート解錠の意思がなくてもゲートが解錠されるという不要な動作を防ぐとともに、より高度なセキュリティーを実現することができる。
【００７９】
そして、本発明は、以下のような要旨にまとめることができる。
１．非接触式データキャリアを鍵とするゲートシステムにおいて、ゲートシステムに許可された範囲内であれば、データキャリアの保持者がデータキャリア内部の情報を書き換えることにより、自由に非接触式データキャリアの鍵としての機能の停止もしくは動作といった状態選択を可能にすることを特徴とした非接触式データキャリア及びそれを用いるゲートシステム。
【００８０】
２．上記１．によりカードなどのデータキャリア保持者に入室の意思がないときには、ゲートを解錠させないことを特徴とした非接触式データキャリア及びそれを用いるゲートシステム。
【００８１】
３．上記２．により不要なゲートの解錠動作及び実際の入室動作がない場合に誤った履歴データの記録をなくすとともに、より高いセキュリティーを実現することを特徴とした非接触式データキャリア及びそれを用いるゲートシステム。
【００８２】
４．非接触式データキャリアを鍵とするゲートシステムにおいて、非接触式データキャリア外部に設けられたスイッチを切り換えることによって鍵としての機能の停止もしくは動作といった状態選択を可能にすることを特徴とした非接触式データキャリア及びそれを用いるゲートシステム。
【００８３】
５．上記４．によりカードなどのデータキャリア保持者に入室の意思がないときには、ゲ一卜を解錠させないことを特徴とした非接触式データキャリア及びそれを用いるゲートシステム。
【００８４】
６．上記５．により不要なゲートの解錠動作及び実際の入室動作がない場合の誤った履歴データの記録をなくすとともに、より高いセキュリティーを実現することを特徴とした非接触式データキャリア及びそれを用いるゲートシステム。
【００８５】
【発明の効果】
以上詳述したように本発明によれば、例えば、非接触式データキャリアを用いるゲートシステムにおいて、非接触式データキャリアの保持者がゲート近傍に立ち入るだけで、実際に入室しなくても入室の履歴が残ってしまうことによる実際の入室動作と履歴上の入室記録とに違いが生じることがないようにし、且つ、非接触式データキャリアの保持者がゲート近傍に立ち入るだけで、ゲート解錠の意思がなくてもゲートが解錠されるという不要な動作をなくすとともに、第三者に不当な入室の機会を与えてしまうことがないようにしてセキュリティー上の点でも問題が生じることがないようにした非接触式データキャリア及びそれを用いるゲートシステムとその制御方法を提供することが可能となる。
【図面の簡単な説明】
【図１】図１は、従来より実現されている非接触式データキャリアとしての非接触ＩＣカードを鍵とするゲートシステムの構成を示すブロック図である。
【図２】図２は、従来のゲートシステムにおける通信手段のシーケンスを説明するために、カードとゲート装置との通信手順及びゲート装置の処理手順を示すフローチャートである。
【図３】図３は、本発明による第１の実施の形態として、ゲート装置２１，２２、非接触ＩＣカード２０ａ，２０ｂ，２０ｃ，２０ｄ、カード情報書き換え装置２３とで構成されるゲートシステムの一例を示すブロック図である。
【図４】図４は、前記ゲート装置２１，２２の鍵となる非接触ＩＣカード２０ａ，２０ｂ，２０ｃ，２０ｄの構成を示すブロック図である。
【図５】図５は、本発明のゲートシステムにおける通信手段のシーケンスを説明するために、カードとゲート装置との通信手順及びゲート装置の処理手順を示すフローチャートである。
【図６】図６は、本発明による第２の実施の形態として、非接触ＩＣカード３０の外表面部に設けたメカニカルスイッチ３１により、当該カード３０への電源供給ラインのＯＮ／ＯＦＦを切り換えることにより、カード３０の鍵としての機能の停止／動作を切り換えることができるようにした例を示す図である。
【図７】図７は、前記非接触ＩＣカード３０の内部構成を示すブロック図である。
【符号の説明】
２１，２２…ゲート装置、
２０ａ，２０ｂ，２０ｃ，２０ｄ…非接触ＩＣカード、
２３…カード情報書き換え装置、
２３０…アンテナ（Ｉ／Ｆ部）、
２３１…Ｒ／Ｗ（制御部）、
２３２…表示部、
２３３…操作部、
２０１…記憶部、
２３…カード情報書き換え装置、
２１１，２２１…アンテナ（Ｉ／Ｆ部）、
２１２，２２２…Ｒ／Ｗ（制御部）、
２４…上位装置、
３０…非接触ＩＣカード、
３０１…アンテナ、
３０２…制御処理部、
３０３…記憶部、
３１…メカニカルスイッチ。
【図１】
0003595157.tif 000002
【図２】
0003595157.tif 000003
【図３】
0003595157.tif 000004
【図４】
0003595157.tif 000005
【図５】
0003595157.tif 000006
【図６】
0003595157.tif 000007
【図７】
0003595157.tif 000008